(57)【要約】本発明の実施例は、複数のＳＲ構成情報を用いた上り伝送を実現することができる上り伝送方法および端末デバイスを提供する。当該方法は、端末デバイスがネットワークデバイスの複数のスケジューリング要求ＳＲ構成情報を受信することと、前記端末デバイスが前記複数のＳＲ構成情報に基づいて、前記複数のＳＲ構成情報に対応する物理上り制御チャネルＰＵＣＣＨリソースを処理することとを含み、各ＳＲ構成情報は、対応するＳＲの最大伝送回数を含む。
2020533823.tif 000002
【特許請求の範囲】
【請求項１】
端末デバイスがネットワークデバイスの複数のスケジューリング要求ＳＲ構成情報を受信することと、
前記端末デバイスが前記複数のＳＲ構成情報に基づいて、前記複数のＳＲ構成情報に対応する物理上り制御チャネルＰＵＣＣＨリソースを処理することとを含み、
各ＳＲ構成情報は、対応するＳＲの最大伝送回数を含む
ことを特徴とする上り伝送方法。
【請求項２】
前記複数のＳＲ構成情報が第１のＳＲ構成情報を含み、前記第１のＳＲ構成情報が第１のＳＲに対応し、前記端末デバイスが前記複数のＳＲ構成情報に基づいて、前記複数のＳＲ構成情報に対応する物理上り制御チャネルＰＵＣＣＨリソースを処理することは、
前記第１のＳＲの伝送回数が前記第１のＳＲの最大伝送回数に達した場合、前記端末デバイスが前記第１のＳＲ構成情報に対応するＰＵＣＣＨリソースを解放することを含む
ことを特徴とする請求項１に記載の上り伝送方法。
【請求項３】
前記方法は、さらに、
前記端末デバイスがランダムアクセスプロセスを開始し、前記第１のＳＲ構成情報に対応するＰＵＣＣＨリソースを取得するように要求することを含む
ことを特徴とする請求項２に記載の上り伝送方法。
【請求項４】
前記複数のＳＲ構成情報が第２のＳＲ構成情報を含み、前記第２のＳＲ構成情報が第２のＳＲに対応し、前記端末デバイスが前記複数のＳＲ構成情報に基づいて、前記複数のＳＲ構成情報に対応する物理上り制御チャネルＰＵＣＣＨリソースを処理することは、
前記第２のＳＲの伝送回数が前記第２のＳＲの最大伝送回数に達した場合、前記端末デバイスが前記各ＳＲ構成情報に対応するＰＵＣＣＨリソースを解放することを含む
ことを特徴とする請求項１に記載の上り伝送方法。
【請求項５】
前記方法は、さらに、
前記端末デバイスが前記ネットワークデバイスから送信された下り割り当て情報と上りグラント情報をクリアし、送信する各ＳＲの送信を取り消すことと、
前記端末デバイスがランダムアクセスプロセスを開始し、前記各ＳＲ構成情報を再構成することとを含む
ことを特徴とする請求項４に記載の上り伝送方法。
【請求項６】
前記複数のＳＲ構成情報が第３のＳＲ構成情報を含み、前記第３のＳＲ構成情報の優先度が他のＳＲ構成情報よりも高く、前記他のＳＲ構成情報が第４のＳＲ構成情報を含み、  前記第４のＳＲ構成情報が第４のＳＲに対応し、前記端末デバイスが前記複数のＳＲ構成情報に基づいて、前記複数のＳＲ構成情報に対応する物理上り制御チャネルＰＵＣＣＨリソースを処理することは、
前記第４のＳＲの伝送回数が前記第４のＳＲの最大伝送回数に達した場合、前記端末デバイスが前記第４のＳＲ構成情報に対応するＰＵＣＣＨリソースを解放することを含む
ことを特徴とする請求項１に記載の上り伝送方法。
【請求項７】
前記方法は、さらに、
前記端末デバイスが前記第３のＳＲ構成情報に対応するＰＵＣＣＨリソースを利用して  前記第４のＳＲを送信することを含む
ことを特徴とする請求項６に記載の上り伝送方法。
【請求項８】
前記複数のＳＲ構成情報が第３のＳＲ構成情報を含み、前記第３のＳＲ構成情報の優先度が他のＳＲ構成情報よりも高く、前記他のＳＲ構成情報が第４のＳＲ構成情報を含み、  前記第３の構成情報が第３のＳＲに対応し、前記端末デバイスが前記複数のＳＲ構成情報に基づいて、前記複数のＳＲ構成情報に対応する物理上り制御チャネルＰＵＣＣＨリソースを処理することは、
前記第３のＳＲの伝送回数が前記第３のＳＲの最大伝送回数に達した場合、前記端末デバイスが前記各ＳＲ構成情報に対応するＰＵＣＣＨリソースを解放することを含む
ことを特徴とする請求項１、６、７のいずれか１項に記載の上り伝送方法。
【請求項９】
前記方法は、さらに、
前記端末デバイスが前記ネットワークデバイスにより送信された下り割り当て情報と上りグラント情報をクリアすることと、
前記端末デバイスがランダムアクセスプロセスを開始し、送信する各ＳＲの送信を取り消すこととを含む
ことを特徴とする請求項８に記載の上り伝送方法。
【請求項１０】
前記第３のＳＲ構成情報に対応するＰＵＣＣＨリソースの伝送信頼度は、前記第４のＳＲ構成情報に対応するＰＵＣＣＨリソースの伝送信頼度よりも高い
ことを特徴とする請求項６〜９のいずれか１項に記載の上り伝送方法。
【請求項１１】
端末デバイスがネットワークデバイスの複数のスケジューリング要求ＳＲ構成情報を受信することと、
前記端末デバイスが前記複数のＳＲ構成情報に基づいて、前記複数のＳＲ構成情報に対応する物理上り制御チャネルＰＵＣＣＨリソースを処理することとを含み、
各ＳＲ構成情報がＳＲの最大伝送回数を含み、前記ＳＲの最大伝送回数は、全てのＳＲの累積最大伝送回数を示す
ことを特徴とする上り伝送方法。
【請求項１２】
前記端末デバイスが前記複数のＳＲ構成情報に基づいて、前記複数のＳＲ構成情報に対応する物理上り制御チャネルＰＵＣＣＨリソースを処理することは、
全てのＳＲの累積伝送回数が前記ＳＲの最大伝送回数に達した場合、前記端末デバイスが前記各ＳＲ構成情報に対応するＰＵＣＣＨリソースを解放することを含む
ことを特徴とする請求項１１に記載の上り伝送方法。
【請求項１３】
前記方法は、さらに、
前記端末デバイスが前記ネットワークデバイスにより送信された下り割り当て情報と上りグラント情報をクリアすることと、
前記端末デバイスがランダムアクセスプロセスを開始し、送信する各ＳＲの送信を取り消すこととを含む
ことを特徴とする請求項１２に記載の上り伝送方法。
【請求項１４】
ネットワークデバイスの複数のスケジューリング要求ＳＲ構成情報を受信するように構成される通信モジュールと、
前記複数のＳＲ構成情報に基づいて、前記複数のＳＲ構成情報に対応する物理上り制御チャネルＰＵＣＣＨリソースを処理するように構成される処理モジュールとを含み、
各ＳＲ構成情報は、対応するＳＲの最大伝送回数を含む、
ことを特徴とする端末デバイス。
【請求項１５】
前記複数のＳＲ構成情報が第１のＳＲ構成情報を含み、前記第１のＳＲ構成情報が第１のＳＲに対応し、前記処理モジュールは、
前記第１のＳＲの伝送回数が前記第１のＳＲの最大伝送回数に達した場合、前記第１のＳＲ構成情報に対応するＰＵＣＣＨリソースを解放するように構成される
ことを特徴とする請求項１４に記載の端末デバイス。
【請求項１６】
前記処理モジュールは、さらに、
ランダムアクセスプロセスを開始し、前記第１のＳＲ構成情報に対応するＰＵＣＣＨリソースを取得するように要求するように構成される
ことを特徴とする請求項１５に記載の端末デバイス。
【請求項１７】
前記複数のＳＲ構成情報が第２のＳＲ構成情報を含み、前記第２のＳＲ構成情報が第２のＳＲに対応し、前記処理モジュールは、さらに、
前記第２のＳＲの伝送回数が前記第２のＳＲの最大伝送回数に達した場合、前記各ＳＲ構成情報に対応するＰＵＣＣＨリソースを解放するように構成される
ことを特徴とする請求項１４に記載の端末デバイス。
【請求項１８】
前記処理モジュールは、さらに、
前記ネットワークデバイスにより送信された下り割り当て情報と上りグラント情報をクリアし、送信する各ＳＲの送信を取り消し、
ランダムアクセスプロセスを開始し、前記各ＳＲ構成情報を再構成するように構成される
ことを特徴とする請求項１７に記載の端末デバイス。
【請求項１９】
前記複数のＳＲ構成情報が第３のＳＲ構成情報を含み、前記第３のＳＲ構成情報の優先度が他のＳＲ構成情報よりも高く、前記他のＳＲ構成情報が第４のＳＲ構成情報を含み、  前記第４のＳＲ構成情報が第４のＳＲに対応し、前記処理モジュールは、さらに、
前記第４のＳＲの伝送回数が前記第４のＳＲの最大伝送回数に達した場合、前記第４のＳＲ構成情報に対応するＰＵＣＣＨリソースを解放するように構成される
ことを特徴とする請求項１４に記載の端末デバイス。
【請求項２０】
前記通信モジュールは、さらに、
前記第３のＳＲ構成情報に対応するＰＵＣＣＨリソースを利用して前記第４のＳＲを送信するように構成される
ことを特徴とする請求項１９に記載の端末デバイス。
【請求項２１】
前記複数のＳＲ構成情報が第３のＳＲ構成情報を含み、前記第３のＳＲ構成情報の優先度が他のＳＲ構成情報よりも高く、前記他のＳＲ構成情報が第４のＳＲ構成情報を含み、  前記第３の構成情報が第３のＳＲに対応し、前記処理モジュールは、さらに、
前記第３のＳＲの伝送回数が前記第３のＳＲの最大伝送回数に達した場合、前記各ＳＲ構成情報に対応するＰＵＣＣＨリソースを解放するように構成される
ことを特徴とする請求項１４、１９、２０に記載の端末デバイス。
【請求項２２】
前記処理モジュールは、さらに、
前記ネットワークデバイスにより送信された下り割り当て情報と上りグラント情報をクリアし、
ランダムアクセスプロセスを開始し、送信する各ＳＲの送信を取り消すように構成される
ことを特徴とする請求項２１に記載の端末デバイス。
【請求項２３】
前記第３のＳＲ構成情報に対応するＰＵＣＣＨリソースの伝送信頼度は、前記第４のＳＲ構成情報に対応するＰＵＣＣＨリソースの伝送信頼度よりも高い
ことを特徴とする請求項１９〜２２のいずれか１項に記載の端末デバイス。
【請求項２４】
ネットワークデバイスの複数のスケジューリング要求ＳＲ構成情報を受信するように構成される通信モジュールと、
前記複数のＳＲ構成情報に基づいて、前記複数のＳＲ構成情報に対応する物理上り制御チャネルＰＵＣＣＨリソースを処理するように構成される処理モジュールとを含み、
各ＳＲ構成情報がＳＲの最大伝送回数を含み、前記ＳＲの最大伝送回数は、全てのＳＲの累積最大伝送回数を示す
ことを特徴とする端末デバイス。
【請求項２５】
前記処理モジュールは、
全てのＳＲの累積伝送回数が前記ＳＲの最大伝送回数に達した場合、前記各ＳＲ構成情報に対応するＰＵＣＣＨリソースを解放するように構成される
ことを特徴とする請求項２４に記載の端末デバイス。
【請求項２６】
前記処理モジュールは、さらに、
前記ネットワークデバイスにより送信された下り割り当て情報と上りグラント情報をクリアし、
ランダムアクセスプロセスを開始し、送信する各ＳＲの送信を取り消すように構成される
ことを特徴とする請求項２５に記載の端末デバイス。
【発明の詳細な説明】
【技術分野】
【０００１】
本願は、通信分野に関し、具体的に、上り伝送方法及び端末デバイスに関する。
【背景技術】
【０００２】
従来のＮｅｗ Ｒａｄｉｏ（ＮＲ)の検討において、端末デバイスに複数のスケジューリング要求( Ｓｃｈｅｄｕｌｉｎｇ Ｒｅｑｕｅｓｔ、ＳＲ )構成（ｃｏｎｆｉｇｕｒａｔｉｏｎ）情報を構成することに同意したことにより、端末デバイスは、この複数のＳＲ ｃｏｎｆｉｇｕｒａｔｉｏｎによって、当該端末デバイスがどのタイプの上りグラントリソースを必要とするかをネットワークデバイスに示すことができる。
【０００３】
しかしながら、現在の検討は、ＳＲ ｃｏｎｆｉｇｕｒａｔｉｏｎについて明確な定義を与えられておらず、したがって、端末デバイスにとって、複数のＳＲ ｃｏｎｆｉｇｕｒａｔｉｏｎでの上り伝送をどのように実現するかは、解決すべき課題である。
【発明の概要】
【０００４】
本願の実施例は、複数のＳＲ構成情報のシーンの上り伝送を実現することができる上り伝送方法及び端末デバイスを提供する。
【０００５】
第１の形態は、上り伝送方法を提供し、
端末デバイスがネットワークデバイスの複数のスケジューリング要求ＳＲ構成情報を受信することと、
前記端末デバイスが前記複数のＳＲ構成情報に基づいて、前記複数のＳＲ構成情報に対応する物理上り制御チャネルＰＵＣＣＨリソースを処理することとを含み、各ＳＲ構成情報は、対応するＳＲの最大伝送回数を含む。
【０００６】
そして、本発明の実施例に係る上り伝送方法は、端末デバイスがネットワークデバイスによって構成された複数のＳＲ構成情報を受信し、各ＳＲ構成情報は、対応するＳＲの最大伝送回数を含み、端末デバイスは、複数のＳＲ構成情報のうちのＳＲの最大伝送回数に応じて、複数のＳＲ構成情報に対応するＰＵＣＣＨリソースを処理して上り伝送を実現することができる。
【０００７】
任意選択で、本願の実施例において、各ＳＲ構成情報に含まれる対応するＳＲの最大伝送回数は、同じでもよいし、異なっても良い。
【０００８】
第１の形態と結合し、第１の形態のある実現可能な方式において、前記複数のＳＲ構成情報が第１のＳＲ構成情報を含み、前記第１のＳＲ構成情報が第１のＳＲに対応し、前記端末デバイスが前記複数のＳＲ構成情報に基づいて、前記複数のＳＲ構成情報に対応する物理上り制御チャネルＰＵＣＣＨリソースを処理することは、
前記第１のＳＲの伝送回数が前記第１のＳＲの最大伝送回数に達した場合、前記端末デバイスが前記第１のＳＲ構成情報に対応するＰＵＣＣＨリソースを解放することを含む。
【０００９】
第１の形態と結合し、第１の形態のある実現可能な方式において、前記方法は、さらに、
前記端末デバイスがランダムアクセスプロセスを開始し、前記第１のＳＲ構成情報に対応するＰＵＣＣＨリソースを取得するように要求することを含む。
【００１０】
すなわち、各ＳＲ構成情報に含まれるＳＲの最大伝送回数を用いて、各ＳＲ構成情報に対応するＰＵＣＣＨリソースの解放タイミングを決定し、すなわち、第１のＳＲ構成情報に含まれる第１のＳＲの最大伝送回数を用いて、第１のＳＲ構成情報に対応するＰＵＣＣＨリソースの解放タイミングを決定し、第２のＳＲ構成情報に含まれる第２のＳＲの最大伝送回数を用いて、第２のＳＲ構成情報に対応するＰＵＣＣＨリソースの解放タイミングを決定し、すなわち、各ＳＲ構成情報に対応するＰＵＣＣＨリソースの解放タイミングを個別に管理する。
【００１１】
第１の形態と結合し、第１の形態のある実現可能な方式において、前記複数のＳＲ構成情報が第２のＳＲ構成情報を含み、前記第２のＳＲ構成情報が第２のＳＲに対応し、前記端末デバイスが前記複数のＳＲ構成情報に基づいて、前記複数のＳＲ構成情報に対応する物理上り制御チャネルＰＵＣＣＨリソースを処理することは、
前記第２のＳＲの伝送回数が前記第２のＳＲの最大伝送回数に達した場合、前記端末デバイスが前記各ＳＲ構成情報に対応するＰＵＣＣＨリソースを解放することを含む。
【００１２】
第１の形態と結合し、第１の形態のある実現可能な方式において、前記方法は、さらに、
前記端末デバイスが前記ネットワークデバイスから送信された下り割り当て情報と上りグラント情報をクリアし、送信する各ＳＲの送信を取り消すことと、
前記端末デバイスがランダムアクセスプロセスを開始し、前記各ＳＲ構成情報を再構成することとを含む。
【００１３】
すなわち、各ＳＲ構成情報に対応するＰＵＣＣＨリソースは、一括管理されていると考えてもよく、即ち、いずれのＳＲ構成情報に対応するＳＲの伝送回数がいずれのＳＲの最大伝送回数に達した場合に、端末デバイスが各ＳＲ構成情報に対応するＰＵＣＣＨリソースを解放するようにトリガでき、即ち、いずれのＳＲの伝送回数がいずれのＳＲの最大伝送回数に達した場合に、端末デバイスが各ＳＲ構成情報に対応するＰＵＣＣＨリソースを解放するタイミングであると考えてもよい。
【００１４】
第１の形態と結合し、第１の形態のある実現可能な方式において、前記複数のＳＲ構成情報が第３のＳＲ構成情報を含み、前記第３のＳＲ構成情報の優先度が他のＳＲ構成情報よりも高く、前記他のＳＲ構成情報が第４のＳＲ構成情報を含み、前記第４のＳＲ構成情報が第４のＳＲに対応し、前記端末デバイスが前記複数のＳＲ構成情報に基づいて、前記複数のＳＲ構成情報に対応する物理上り制御チャネルＰＵＣＣＨリソースを処理することは、
前記第４のＳＲの伝送回数が前記第４のＳＲの最大伝送回数に達した場合、前記端末デバイスが前記第４のＳＲ構成情報に対応するＰＵＣＣＨリソースを解放することを含む。
【００１５】
第１の形態と結合し、第１の形態のある実現可能な方式において、前記方法は、さらに、
前記端末デバイスが前記第３のＳＲ構成情報に対応するＰＵＣＣＨリソースを利用して前記第４のＳＲを送信することを含む。
【００１６】
第１の形態と結合し、第１の形態のある実現可能な方式において、前記複数のＳＲ構成情報が第３のＳＲ構成情報を含み、前記第３のＳＲ構成情報の優先度が他のＳＲ構成情報よりも高く、前記他のＳＲ構成情報が第４のＳＲ構成情報を含み、前記第３の構成情報が第３のＳＲに対応し、前記端末デバイスが前記複数のＳＲ構成情報に基づいて、前記複数のＳＲ構成情報に対応する物理上り制御チャネルＰＵＣＣＨリソースを処理することは、
前記第３のＳＲの伝送回数が前記第３のＳＲの最大伝送回数に達した場合、前記端末デバイスが前記各ＳＲ構成情報に対応するＰＵＣＣＨリソースを解放することを含む。
【００１７】
第１の形態と結合し、第１の形態のある実現可能な方式において、前記方法は、さらに、
前記端末デバイスが前記ネットワークデバイスにより送信された下り割り当て情報と上りグラント情報をクリアすることと、
前記端末デバイスがランダムアクセスプロセスを開始し、送信する各ＳＲの送信を取り消すこととを含む。
【００１８】
第１の形態と結合し、第１の形態のある実現可能な方式において、前記第３のＳＲ構成情報に対応するＰＵＣＣＨリソースの伝送信頼度は、前記第４のＳＲ構成情報に対応するＰＵＣＣＨリソースの伝送信頼度よりも高い。
【００１９】
全体的に、非デフォルトＳＲ構成情報それぞれに含まれたＳＲの最大伝送回数は、非デフォルトＳＲ構成情報それぞれに対応するＰＵＣＣＨリソースの解放タイミングを決定するために使用され、デフォルトＳＲ構成情報に含まれたＳＲの最大伝送回数は、ＳＲ構成情報それぞれに対応するＰＵＣＣＨリソースの解放タイミングを決定するために使用される。
【００２０】
第２の形態は、上り伝送方法を提供し、
端末デバイスがネットワークデバイスの複数のスケジューリング要求ＳＲ構成情報を受信することと、
前記端末デバイスが前記複数のＳＲ構成情報に基づいて、前記複数のＳＲ構成情報に対応する物理上り制御チャネルＰＵＣＣＨリソースを処理することとを含み、各ＳＲ構成情報がＳＲの最大伝送回数を含み、前記ＳＲの最大伝送回数は、全てのＳＲの累積最大伝送回数を示す。
【００２１】
第２の形態と結合し、第２の形態のある実現可能な方式において前記端末デバイスが前記複数のＳＲ構成情報に基づいて、前記複数のＳＲ構成情報に対応する物理上り制御チャネルＰＵＣＣＨリソースを処理することは、
全てのＳＲの累積伝送回数が前記ＳＲの最大伝送回数に達した場合、前記端末デバイスが前記各ＳＲ構成情報に対応するＰＵＣＣＨリソースを解放することを含む。
【００２２】
この実施例では、端末デバイスは、各ＳＲの伝送回数を累積カウントし、その累積カウントした全ＳＲの伝送回数に基づいて、各ＳＲ構成情報に対応するＰＵＣＣＨリソースを処理することができ、具体的には、全ＳＲの伝送回数の累積カウントがＳＲの最大伝送回数に達した場合に、各ＳＲ構成情報に対応するＰＵＣＣＨリソースを解放することができる。
【００２３】
第２の形態と結合し、第２の形態のある実現可能な方式において前記方法は、さらに、
前記端末デバイスが前記ネットワークデバイスにより送信された下り割り当て情報と上りグラント情報をクリアすることと、
前記端末デバイスがランダムアクセスプロセスを開始し、送信する各ＳＲの送信を取り消すこととを含む。
【００２４】
第３の態様は、上記の第１の態様または第１の態様の任意の可能な実装における方法を実行するための端末デバイスを提供する。具体的には、端末デバイスは、上記の第１の態様または第１の態様の任意の可能な実装形態における方法を実行するためのユニットを含む。
【００２５】
第４の態様は、上記第２の態様または第２の態様の任意の可能な実装における方法を実行するための端末デバイスを提供する。具体的には、端末デバイスは、上記の第２の態様または第２の態様の任意の可能な実装形態における方法を実行するためのユニットを含む。
【００２６】
第５の形態は、メモリと、プロセッサと、入力インタフェースと、出力インタフェースとを有する端末デバイスを提供する。メモリ、プロセッサ、入力インタフェース、出力インタフェースは、バスシステムを介して接続される。メモリは、命令を記憶するために使用され、プロセッサは、メモリに記憶された命令を実行して、第１の態様または第１の態様の任意の可能な実装形態において、方法を実行するために使用される。
【００２７】
第６の形態は、メモリと、プロセッサと、入力インタフェースと、出力インタフェースとを有する端末デバイスを提供する。メモリ、プロセッサ、入力インタフェース、出力インタフェースは、バスシステムを介して接続される。メモリは、命令を記憶するために使用され、プロセッサは、メモリに記憶された命令を実行して、上述の第２の態様または第２の態様の任意の可能な実装形態における方法を実行するために使用される。
【００２８】
第７の態様は、上記の第１の態様または第１の態様の任意の可能な実装形態における方法、または上記の第２の態様または第２の態様の任意の可能な実装形態における方法を実行するためのコンピュータソフトウェア命令を記憶するためのコンピュータ記憶媒体を提供し、上記の態様を実行するように設計されたプログラムを含む。
【００２９】
第８の態様は、命令を備えるコンピュータプログラム製品を提供し、コンピュータ上で実行されると、コンピュータに、上記の第１の態様もしくは第１の態様の任意の実装形態における方法、または上記の第２の態様もしくは第２の態様の任意の実装形態における方法を実行させる。
【図面の簡単な説明】
【００３０】
【図１】本願の実施例における通信システムの模式図である。
【図２】本願の実施例における上り伝送方法のフローチャートである。
【図３】本願の他の実施例における上り伝送方法のフローチャートである。
【図４】本願の実施例における端末デバイスのブロック図である。
【図５】本願の他の実施例における端末デバイスのブロック図である。
【図６】本願の他の実施例における端末デバイスのブロック図である。
【図７】本願の他の実施例における端末デバイスのブロック図である。
【発明を実施するための形態】
【００３１】
以下、図面を基づいて、本発明の実施例に係る技術案を説明する。
【００３２】
なお、本発明の実施例における技術的解決策は様々な通信システム、例えばグローバル移動体通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）汎用パケット無線サービス（ＧＰＲＳ：Ｇｅｎｅｒａ１  Ｐａｃｋｅｔ  Ｒａｄｉｏ  Ｓｅｒｖｉｃｅ）システム、長期進化型（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時間分割複信（ＴＤＤ：Ｔｉｍｅ  Ｄｉｖｉｓｉｏｎ  Ｄｕｐｌｅｘ）、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワイマックス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ Ａｃｃｅｓｓ）通信システム、未来の５Ｇシステムなどに応用されることができる。
【００３３】
図１は、本願の実施例が適用される無線通信システム１００を示す。無線通信システム１００は、ネットワークデバイス１１０を含み得る。ネットワークデバイス１００は、端末デバイスと通信するデバイスであってもよい。ネットワークデバイス１００は、特定の地理的エリアに通信カバレッジを提供し、カバレッジエリア内に配置されたＵＥなどの端末デバイスと通信し得る。任意選択で、ネットワークデバイス１００は、ＧＳＭシステムまたはＣＤＭＡシステムにおける基地局( Ｂａｓｅ Ｔｒａｎｓｃｅｉｖｅｒ Ｓｔａｔｉｏｎ：ＢＴＳ )、ＷＣＤＭＡシステムにおける基地局( ＮｏｄｅＢ：ＮＢ )、ＬＴＥシステムにおける発展型基地局( Ｅｖｏｌｕｔｉｏｎａｌ Ｎｏｄｅ Ｂ：ｅＮＢ、またはｅＮｏｄｅＢ )、またはクラウド無線アクセスネットワーク( Ｃｌｏｕｄ Ｒａｄｉｏ Ａｃｃｅｓｓ Ｎｅｔｗｏｒｋ：ＣＲＡＮ )における無線コントローラであってもよく、または中継局、アクセスポイント、車載装置、ウェアラブル装置、将来の５Ｇネットワークにおけるネットワーク側装置、または将来の公衆地上モバイルネットワーク( Ｐｕｂｌｉｃ Ｌａｎｄ Ｍｏｂｉｌｅ Ｎｅｔｗｏｒｋ：ＰＬＭＮ )におけるネットワークデバイスなどであってもよい。
【００３４】
当該無線通信システム１００は、ネットワークデバイス１１０のカバレージ内に配置された少なくとも１つの端末デバイス１２０をさらに含む。端末デバイス１２０は、移動型であってもよいし、固定型であってもよい。任意選択で、端末デバイス１２０は、アクセス端末、ユーザ機器( Ｕｓｅｒ Ｅｑｕｉｐｍｅｎｔ：ＵＥ )、ユーザ装置、ユーザ局、移動局、モバイル、リモート局、リモート端末、モバイル機器、ユーザ端末、無線通信機器、ユーザエージェント、またはユーザ装置を指し得る。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ：ＳＩＰ )電話、ワイヤレスローカルループ( Ｗｉｒｅｌｅｓｓ Ｌｏｃａｌ Ｌｏｏｐ：ＷＬＬ )局、パーソナルデジタル処理( Ｐｅｒｓｏｎａｌ Ｄｉｇｉｔａｌ Ａｓｓｉｓｔａｎｔ：ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、将来の５Ｇネットワークにおける端末デバイス、または将来開発されるＰＬＭＮにおける端末デバイスなどであり得る。
【００３５】
任意選択で、端末デバイス１２０間の端末直接接続( Ｄｅｖｉｃｅ ｔｏ Ｄｅｖｉｃｅ：Ｄ２Ｄ )通信が行われてもよい。
【００３６】
任意選択で、５Ｇシステム又はネットワークは、新たな無線( Ｎｅｗ Ｒａｄｉｏ：ＮＲ )システム又はネットワークと呼ばれることもある。
【００３７】
図１は、１つのネットワークデバイス及び２つの端末デバイスを例示的に示し、任意選択で、無線通信システム１００は、複数のネットワークデバイスを含み、各ネットワークデバイスのカバレージ内に他の数の端末デバイスを含んでもよく、本願の実施例は、これに限定されない。
【００３８】
選択可能で、無線通信システム１００は、ネットワークコントローラ、モビリティ管理エンティティなどの他のネットワークエンティティをさらに含むことができ、本願の実施例はこれに限定されない。
【００３９】
本願の明細書において、「システム」および「ネットワーク」という用語は、本明細書において交換可能に使用されることが理解される。ここで、及び/又はとは、単に関連のある対象を記述するための関連関係の１つであり、Ａ及び/又はＢのように３つの関係が存在し得ることを意味し、Ａのみ、ＡとＢが同時に存在すること、Ｂのみが存在することの３つの場合が存在し得ることを意味する。なお、明細書の「/」の文字は、前後の関連オブジェクトが一種の「または」の関係であることを一般的に示す。
【００４０】
従来のメディアアクセス制御( Ｍｅｄｉｕｍ Ａｃｃｅｓｓ Ｃｏｎｔｒｏｌ、ＭＡＣ )プロトコルによって規定されるＳＲのトリガフローは、端末がデータを送信する必要がある場合に、任意選択で、そのデータは、無線リンク制御( Ｒａｄｉｏ Ｌｉｎｋ Ｃｏｎｔｒｏｌ、ＲＬＣ )層またはパケットデータコンバージェンスプロトコル( Ｐａｃｋｅｔ Ｄａｔａ Ｃｏｎｖｅｒｇｅｎｃｅ Ｐｒｏｔｏｃｏｌ、ＰＤＣＰ )層にキャッシュされたデータであり得る。端末デバイスは、現在の伝送時間間隔( Ｔｒａｎｓｍｉｓｓｉｏｎ Ｔｉｍｅ Ｉｎｔｅｒｖａｌ、ＴＴＩ )にＰＵＣＣＨリソースがあるか否かを判断し、物理上り制御チャネル( Ｐｈｙｓｉｃａｌ Ｕｐｌｉｎｋ Ｃｏｎｔｒｏｌ Ｃｈａｎｎｅｌ、ＰＵＣＣＨ )リソースがあり、ＳＲの伝送回数を制限するタイマ( ｓｒ−ＰｒｏｈｉｂｉｔＴｉｍｅｒ )が動作していない場合、端末デバイスのＭＡＣ層は、該当ＰＵＣＣＨリソース上でＳＲを伝送するように物理層に指示する。
【００４１】
上述したように、従来のＮＲの検討では、端末デバイスに複数のＳＲ構成情報（ＳＲ Ｃｏｎｆｉｇｕｒａｔｉｏｎ）が構成され、前記複数のＳＲ Ｃｏｎｆｉｇｕｒａｔｉｏｎを介してどのタイプの上りグラントリソースを必要とするかをネットワークデバイスに示すことができる。しかしながら、これまでの検討では、ＳＲ構成情報に含まれる具体的な内容については明確に定義されておらず、端末デバイスが複数のＳＲ構成情報で構成される場合、端末デバイスがどのように各ＳＲ構成情報に対応するＰＵＣＣＨリソースを管理して上り伝送を実現するかが課題となっていた。
【００４２】
図２は本願の実施例における上り伝送方法２００のフローチャートであり、図２に示すように、前記方法２００は、Ｓ２１０及びＳ２１０を含む。
【００４３】
Ｓ２１０において、端末デバイスがネットワークデバイスの複数のスケジューリング要求ＳＲ構成情報を受信し、各ＳＲ構成情報は、対応するＳＲの最大伝送回数を含む。
【００４４】
Ｓ２２０において、前記端末デバイスが前記複数のＳＲ構成情報に基づいて、前記複数のＳＲ構成情報に対応する物理上り制御チャネルＰＵＣＣＨリソースを処理する。
【００４５】
本発明の実施例において、前記ネットワークデバイスは、前記端末デバイスに複数のＳＲの構成情報を構成することができ、各ＳＲ構成情報は対応するＳＲの構成情報を示し、例えば、前記各ＳＲ構成情報は、対応するＳＲの最大伝送回数を含み、ここで、ＳＲの最大伝送回数は、ＳＲの頻繁な送信によるＰＵＣＣＨリソースに対する占用を避けるために使用され、任意選択で、前記各ＳＲ構成情報は、対応するＳＲの送信のためのＰＵＣＣＨリソースをさらに含み、ここで、ＰＵＣＣＨリソースはＳＲの送信のためのＰＵＣＣＨの時間領域リソース及び/又は周波数領域リソースを含むことができる。
【００４６】
任意選択で、各ＳＲ構成情報は、既存のＳＲ Ｃｏｎｆｉｇｕｒａｔｉｏｎにおける他の構成情報をさらに含んでもよく、これは本発明の実施例によって限定されない。
【００４７】
なお、本願実施例において、ＳＲ構成情報ごとに含まれる対応するＳＲの最大伝送回数は、同じであってもよいし、異なっていてもよく、本願実施例は、特にこれに限定されない。
【００４８】
例えば、前記複数のＳＲ構成情報は第１のＳＲ構成情報と第２のＳＲ構成情報を含み、ここで、前記第１のＳＲ構成情報が第１のＳＲに対応し、前記第２のＳＲ構成情報が第２のＳＲに対応し、前記第１のＳＲ構成情報は、前記第１のＳＲの最大伝送回数を含み、前記第１のＳＲの最大伝送回数は、前記第１のＳＲの最大の頻繁に送信可能な回数を示し、前記第２のＳＲ構成情報は、前記第２のＳＲの最大伝送回数を含み、前記第２のＳＲの最大伝送回数は、前記第２のＳＲの最大の頻繁に送信可能な回数を示し、ここで、前記第１のＳＲの最大伝送回数と前記第２のＳＲの最大伝送回数は同じでもよいし、異なっても良い。
【００４９】
本発明の実施例において、前記端末デバイスは、前記複数のＳＲ構成情報に基づいて、前記複数のＳＲ構成情報に対応するＰＵＣＣＨリソースを処理することができ、例えば、前記各ＳＲ構成情報におけるあるＳＲの最大伝送回数に基づいて、対応するＰＵＣＣＨリソースの解放タイミングを決定することもでき、前記複数のＳＲ構成情報における各ＳＲの最大伝送回数に基づいて、各ＰＵＣＣＨリソースの解放タイミングを決定することもでき、すなわち、前記複数のＳＲ構成情報に基づいて、各ＳＲ構成情報に対応するＰＵＣＣＨリソースを統合的に管理することもでき、または、別々に管理することもできるなど、本発明の実施例はこれに限定されない。
【００５０】
実施例１：
前記複数のＳＲ構成情報が第１のＳＲ構成情報を含み、前記第１のＳＲ構成情報が第１のＳＲに対応し、前記Ｓ２２０は、
前記第１のＳＲの伝送回数が前記第１のＳＲの最大伝送回数に達した場合、前記端末デバイスが前記第１のＳＲ構成情報に対応するＰＵＣＣＨリソースを解放することを含む。
【００５１】
ここで、前記第１のＳＲ構成情報は、前記複数のＳＲ構成情報のいずれかのＳＲ構成情報であり、前記端末デバイスは、前記第１のＳＲの伝送回数が前記第１のＳＲの最大伝送回数に達した場合、前記第１のＳＲ構成情報に対応するＰＵＣＣＨリソースを解放し、他のＳＲ構成情報に対応するＰＵＣＣＨリソースを解放しない。具体的に、前記端末デバイスのＭＡＣエンティティは、前記端末デバイスの無線リソース制御（Ｒａｄｉｏ Ｒｅｓｏｕｒｃｅ Ｃｏｎｔｒｏｌ、ＲＲＣ）エンティティに前記第１のＳＲ構成情報に対応するＰＵＣＣＨリソースを解放するように通知し、前記端末デバイスのＭＡＣエンティティは、ＲＲＣエンティティに前記第１のＳＲ構成情報に対応するＰＵＣＣＨリソースを解放するように通知した後、前記端末デバイスのＲＲＣエンティティは、ネットワークデバイスのＲＲＣエンティティに前記端末デバイスが前記第１のＳＲ構成情報に対応するＰＵＣＣＨリソースを解放したことを通知し、このように、前記複数のＳＲ構成情報を再構成する場合、前記ネットワークデバイスのＲＲＣエンティティは、解放されたＰＵＣＣＨリソースのみを構成し、即ち、第１のＳＲ構成情報に対応するＰＵＣＣＨリソースのみを構成する。
【００５２】
なお、本発明の実施例において、第１のＳＲ構成情報に対応するＰＵＣＣＨリソースを再構成するとは、前記第１のＳＲ構成情報に対応するＰＵＣＣＨリソースを元値に配置することを意味してもよく、または、元値と異なる値に配置することを意味してもよく、例えば、前記第１のＳＲ構成情報に対応するＰＵＣＣＨリソースの周期の元値は４であり、再構成後のＰＵＣＣＨリソースの周期値は４であり、または、他の値であってもよく、本発明の実施はこれに限定されない。
【００５３】
この実施例１では、各ＳＲ構成情報に含まれるＳＲの最大伝送回数を用いて、各ＳＲ構成情報に対応するＰＵＣＣＨリソースの解放タイミングを決定し、すなわち、第１のＳＲ構成情報に含まれる第１のＳＲの最大伝送回数を用いて、第１のＳＲ構成情報に対応するＰＵＣＣＨリソースの解放タイミングを決定し、第２のＳＲ構成情報に含まれる第２のＳＲの最大伝送回数を用いて、第２のＳＲ構成情報に対応するＰＵＣＣＨリソースの解放タイミングを決定し、すなわち、各ＳＲ構成情報に対応するＰＵＣＣＨリソースの解放タイミングを個別に管理する。
【００５４】
任意選択で、端末デバイスは、第１のＳＲ構成情報に対応するＰＵＣＣＨリソースが解除された後、送信する第１のＳＲを取り消してもよく、第１のＳＲを送信するためのＰＵＣＣＨリソースが解除された後、第１のＳＲを送信しないことを選択してもよく、または、端末デバイスは、他の解放されないＰＵＣＣＨリソースを用いて第１のＳＲを送信してもよく、これに限定されない。
【００５５】
さらに、前記方法２００は、さらに、
前記端末デバイスがランダムアクセスプロセスを開始し、前記第１のＳＲ構成情報に対応するＰＵＣＣＨリソースを取得するように要求することを含む。
【００５６】
前記第１のＳＲ構成情報に対応するＰＵＣＣＨリソースが解放された場合、前記端末デバイスがランダムアクセスプロセスを開始し、前記第１のＳＲ構成情報に対応するＰＵＣＣＨリソースを取得するように要求し、ＳＲを送信するためのＰＵＣＣＨリソースの取得を要求することは、従来技術と類似するため、ここで説明を省略する。
【００５７】
実施例２：
前記複数のＳＲ構成情報が第２のＳＲ構成情報を含み、前記第２のＳＲ構成情報が第２のＳＲに対応し、前記Ｓ２２０は、
前記第２のＳＲの伝送回数が前記第２のＳＲの最大伝送回数に達した場合、前記端末デバイスが前記各ＳＲ構成情報に対応するＰＵＣＣＨリソースを解放することを含む。
【００５８】
ここで、前記第２のＳＲ構成情報が前記複数のＳＲ構成情報のいずれかＳＲ構成情報であり、前記第２のＳＲ構成情報と前記第１のＳＲ構成情報とは、同一のＳＲ構成情報であってもよいし、異なるＳＲ構成情報であってもよい。
【００５９】
この実施例２では、端末デバイスは、複数のＳＲ構成情報のうちいずれか１つのＳＲ構成情報に対応するＳＲの伝送回数が、いずれか１つのＳＲの最大伝送回数に達した場合に、各ＳＲ構成情報に対応するＰＵＣＣＨリソースを解放する。この実施例２では、各ＳＲ構成情報に対応するＰＵＣＣＨリソースは、統一に管理されているものとみなし、いずれのＳＲ構成情報に対応するＳＲの伝送回数がいずれのＳＲの最大伝送回数に達した場合に、端末デバイスが各ＳＲ構成情報に対応するＰＵＣＣＨリソースを解放するトリガし、いずれのＳＲの伝送回数がいずれのＳＲの最大伝送回数に達した場合は、端末デバイスが各ＳＲ構成情報に対応するＰＵＣＣＨリソースを解放する解放タイミングである。
【００６０】
前述の実施例と同様に、端末デバイスのＲＲＣエンティティは、各ＳＲ構成情報に対応するＰＵＣＣＨリソースを解放するようにＲＲＣエンティティに通知した後、ネットワークデバイスのＲＲＣエンティティに各ＳＲ構成情報に対応するＰＵＣＣＨリソースを解放したことをさらに通知することができ、これにより、ネットワークデバイスのＲＲＣエンティティは、複数のＳＲ構成情報を再構成する際に各ＳＲ構成情報に対応するＰＵＣＣＨリソースを再構成することができる。
【００６１】
さらに、前記方法は、
前記端末デバイスが前記ネットワークデバイスから送信された下り割り当て情報と上りグラント情報をクリアし、送信する各ＳＲの送信を取り消すことと、
前記端末デバイスがランダムアクセスプロセスを開始し、前記各ＳＲ構成情報を再構成することとを含む。
【００６２】
具体的には、端末デバイスが各ＳＲ構成情報に対応するＰＵＣＣＨリソースを解放した後、さらに、端末デバイスは、ネットワークデバイスにより送信された、データチャネルのリソースを含む下り割り当て情報および上りグラント情報( Ｓｔｅｐ1と記す)をクリアしてもよく、すなわち、下り割り当て情報および上りグラント情報は、データチャネル上でデータを送信するリソースの情報であり、例えば、下りデータチャネルのリソースを含む下り割り当て情報、上りデータチャネルのリソースを含む上りグラント情報であってもよい。
【００６３】
任意選択で、この時点で各ＳＲ構成情報に対応するＰＵＣＣＨリソースが解放されているため、端末デバイスは、送信すべき各ＳＲの送信を中止することもできる( Ｓｔｅｐ２とする)。
【００６４】
任意選択で、端末デバイスは、複数のＳＲ構成情報の各ＳＲ構成情報に対応するＰＵＣＣＨリソースの取得を要求するランダムアクセス手順(ステップ３と記載される)を開始することもできる。
【００６５】
任意選択で、端末デバイスは、ネットワークデバイスから送信された複数のＳＲ構成情報を受信し(ステップ４と記す)、前記複数のＳＲ構成情報は、各ＳＲ構成情報を再構成するために用いられる。
【００６６】
上記のステップ１からステップ４の記載順序は、実行順序の前後を意味するものではなく、各ステップの実行順序は、その機能及び固有の論理において決定されるべきであり、本願の実施例の実施過程を何ら限定するものではないことを理解されたい。
【００６７】
実施例３：
前記複数のＳＲ構成情報が第３のＳＲ構成情報を含み、前記第３のＳＲ構成情報の優先度が他のＳＲ構成情報よりも高く、前記他のＳＲ構成情報が第４のＳＲ構成情報を含み、前記第４のＳＲ構成情報が第４のＳＲに対応し、Ｓ２２０は、
前記複数のＳＲ内の第４のＳＲの伝送回数が前記第４のＳＲの最大伝送回数に達した場合、前記端末デバイスが前記第４のＳＲ構成情報に対応するＰＵＣＣＨリソースを解放する。
【００６８】
この実施例３において、前記第３のＳＲ構成情報は、他のＳＲ構成情報より優先度が高く、デフォルトＳＲ構成情報であると理解され、前記他のＳＲ構成情報は、非デフォルトＳＲ構成情報であり、前記端末デバイスは、前記他のＳＲ構成情報に対応するＰＵＣＣＨリソースが解放されると、デフォルトのＳＲ構成情報、すなわち、前記第３のＳＲ構成情報に対応するＰＵＣＣＨリソースを用いて、対応するＳＲを伝送することができる。
【００６９】
この実施例３において、非デフォルトＳＲ構成情報に対応するＰＵＣＣＨリソースの解放タイミングは、前記非デフォルトＳＲ構成情報に対応するＳＲの伝送回数が前記非デフォルトＳＲの最大伝送回数に達した場合であり、例えば、前記非デフォルトＳＲ構成情報は、第４のＳＲに対応する第４のＳＲ構成情報を含み、前記端末デバイスは、前記第４のＳＲの伝送回数が前記第４のＳＲの最大伝送回数に達した場合、前記第４のＳＲ構成情報に対応するＰＵＣＣＨリソースを解放し、他のＳＲ構成情報に対応するＰＵＣＣＨリソースを解放しないことができる。
【００７０】
すなわち、非デフォルトＳＲ構成情報に含まれるＳＲの最大伝送回数を用いて、非デフォルトＳＲ構成情報に対応するＰＵＣＣＨリソースの解放タイミングを決定し、すなわち、実施例３では、非デフォルトＳＲ構成情報に対応するＰＵＣＣＨリソースの解放タイミングを個別に管理する。
【００７１】
さらに、前記方法２００は、さらに、
前記端末デバイスが前記第３のＳＲ構成情報に対応するＰＵＣＣＨリソースを利用して前記第４のＳＲを送信することを含む。
【００７２】
具体的に、前記端末デバイスは、前記第４のＳＲ構成情報に対応するＰＵＣＣＨリソースが既に開放されている場合、デフォルトＳＲ構成情報、すなわち、前記第３のＳＲ構成情報に対応するＰＵＣＣＨリソースを用いて前記第４のＳＲを伝送することができ、すなわち、前記非デフォルトのＳＲ構成情報に対応するＰＵＣＣＨリソースが開放されている場合、前記端末デバイスは、前記非デフォルトのＳＲ構成情報に対応するＳＲを送信する必要がある場合、前記デフォルトＳＲ構成情報に対応するＰＵＣＣＨリソースを使用することができる。
【００７３】
任意選択で、本願の実施例において、前記第３のＳＲ構成情報に対応するＰＵＣＣＨリソースの伝送信頼度は、前記第４のＳＲ構成情報に対応するＰＵＣＣＨリソースの伝送信頼度よりも高い。
【００７４】
例えば、第３のＳＲ構成情報に対応するＰＵＣＣＨリソースは、第４のＳＲ構成情報に対応するＰＵＣＣＨリソースより低い符号率および/または高い送信電力などを有する。
【００７５】
実施例３において、Ｓ２２０は、さらに、
前記第３のＳＲの伝送回数が前記第３のＳＲの最大伝送回数に達した場合、前記端末デバイスが前記各ＳＲ構成情報に対応するＰＵＣＣＨリソースを解放することを含む。
【００７６】
すなわち、デフォルトＳＲ構成情報に含まれるＳＲの最大伝送回数を用いて、各ＳＲ構成情報に対応するＰＵＣＣＨリソースの解放タイミングを決定し、即ち、デフォルトのＳＲ構成情報に対応するＳＲの伝送回数が最大伝送回数に達した場合に、端末デバイスが各ＳＲ構成情報に対応するＰＵＣＣＨリソースを解放する。
【００７７】
全体的に、非デフォルトＳＲ構成情報それぞれに含まれたＳＲの最大伝送回数は、非デフォルトＳＲ構成情報それぞれに対応するＰＵＣＣＨリソースの解放タイミングを決定するために用いられ、デフォルトＳＲ構成情報に含まれたＳＲの最大伝送回数は、各ＳＲ構成情報それぞれに対応するＰＵＣＣＨリソースの解放タイミングを決定するために用いられることができる。
【００７８】
さらに、前記方法２００は、さらに、
前記端末デバイスが前記ネットワークデバイスにより送信された下り割り当て情報と上りグラント情報をクリアすることと、
前記端末デバイスがランダムアクセスプロセスを開始し、送信する各ＳＲの送信を取り消すこととを含む。
【００７９】
端末デバイスが各ＳＲ構成情報に対応するＰＵＣＣＨリソースを解放した後、端末デバイスは、前述したステップ１〜ステップ４を行うことができ、具体的な処理は、前述した実施例と同様であるので、ここでは詳しい説明を省略する。
【００８０】
図３は、本願の他の実施例における上り伝送方法のフローチャートであり、図３に示すように、前記方法３００は、Ｓ３１０及びＳ３２０を含む。
【００８１】
Ｓ３１０において、端末デバイスがネットワークデバイスの複数のスケジューリング要求ＳＲ構成情報を受信し、各ＳＲ構成情報がＳＲの最大伝送回数を含み、前記ＳＲの最大伝送回数は、全てのＳＲの累積最大伝送回数を示す。
【００８２】
Ｓ３２０において、前記端末デバイスが前記複数のＳＲ構成情報に基づいて、前記複数のＳＲ構成情報に対応する物理上り制御チャネルＰＵＣＣＨリソースを処理する。
【００８３】
この実施例では、各ＳＲ構成情報がＳＲの最大伝送回数情報を含み、前述の実施例と異なり、全てのＳＲの累積最大伝送回数を示す最大伝送回数を有し、つまり、端末デバイスは、全てのＳＲの伝送回数を累積してカウントし、累積カウントされた全てのＳＲの伝送回数に応じて、各ＳＲ構成情報に対応するＰＵＣＣＨリソースを処理し、例えば、全てのＳＲの伝送回数の累積数がＳＲの最大伝送回数に達した場合に、前記端末デバイスは、各ＳＲ構成情報に対応するＰＵＣＣＨリソースを解放することができる。
【００８４】
任意選択で、ある実施例において、Ｓ３２０は、
すべでのＳＲの累積伝送回数が前記ＳＲの最大伝送回数に達した場合、前記端末デバイスが前記複数のＳＲの各ＳＲ構成情報に対応するＰＵＣＣＨリソースを解放することを含む。
【００８５】
例えば、各ＳＲ構成情報が含むＳＲの最大伝送回数が５であり、３つのＳＲ構成情報を含む複数のＳＲ構成情報が、それぞれ第１のＳＲ、第２のＳＲ及び第３のＳＲに対応する第１のＳＲ構成情報、第２のＳＲ構成情報及び第３のＳＲ構成情報であり、各ＳＲ構成情報が含むＳＲの最大伝送回数が５であり、第１のＳＲの伝送回数が２であり、第２のＳＲの伝送回数が１であり、第３のＳＲの伝送回数が２である場合、全てのＳＲの伝送回数がＳＲの最大伝送回数である５に達した場合、端末デバイスは、各ＳＲ構成情報に対応するＰＵＣＣＨリソースを解放する。
【００８６】
任意選択で、ある実施例において、前記方法３００は、さらに、
前記端末デバイスが前記ネットワークデバイスにより送信された下り割り当て情報と上りグラント情報をクリアすることと、
前記端末デバイスがランダムアクセスプロセスを開始し、送信する各ＳＲの送信を取り消すこととを含む。
【００８７】
端末デバイスが各ＳＲ構成情報に対応するＰＵＣＣＨリソースを解放した後、端末デバイスは、前述したステップ１〜ステップ４を行うことができ、具体的な処理は、前述した実施例と同様であるので、ここでは詳しい説明を省略する。
【００８８】
本発明の開示の方法の実施例が図２及び図３に関連して上記で詳細に説明され、本発明の開示の装置の実施例が図４〜図７に関連して以下で詳細に説明されるが、装置の実施例と方法の実施例とは互いに対応し、同様の説明は方法の実施例を参照し得ることが理解される。
【００８９】
図４は、本願の実施例における端末デバイス４００のブロック図である。図４所示、当該端末デバイス４００は、通信モジュール４１０及び処理モジュール４２０を含む。
【００９０】
通信モジュール４１０は、ネットワークデバイスの複数のスケジューリング要求ＳＲ構成情報を受信するように構成され、各ＳＲ構成情報は、対応するＳＲの最大伝送回数を含む。
【００９１】
処理モジュール４２０は、前記複数のＳＲ構成情報に基づいて、前記複数のＳＲ構成情報に対応する物理上り制御チャネルＰＵＣＣＨリソースを処理するよう構成される。
【００９２】
任意選択で、ある可能な実施例において、前記複数のＳＲ構成情報が第１のＳＲ構成情報を含み、前記第１のＳＲ構成情報が第１のＳＲに対応し、前記処理モジュール４２０は、具体的に、
前記第１のＳＲの伝送回数が前記第１のＳＲの最大伝送回数に達した場合、前記第１のＳＲ構成情報に対応するＰＵＣＣＨリソースを解放するように構成される。
【００９３】
任意選択で、ある可能な実施例において、前記処理モジュール４２０は、さらに、
ランダムアクセスプロセスを開始し、前記第１のＳＲ構成情報に対応するＰＵＣＣＨリソースを取得するように要求するように構成される。
【００９４】
任意選択で、ある可能な実施例において、前記複数のＳＲ構成情報が第２のＳＲ構成情報を含み、前記第２のＳＲ構成情報が第２のＳＲに対応し、前記処理モジュール４２０は、さらに、
前記第２のＳＲの伝送回数が前記第２のＳＲの最大伝送回数に達した場合、前記各ＳＲ構成情報に対応するＰＵＣＣＨリソースを解放するように構成される。
【００９５】
任意選択で、ある可能な実施例において、前記処理モジュール４２０は、さらに、
前記ネットワークデバイスにより送信された下り割り当て情報と上りグラント情報をクリアし、送信する各ＳＲの送信を取り消し、
ランダムアクセスプロセスを開始し、前記各ＳＲ構成情報を再構成するように構成される。
【００９６】
任意選択で、ある可能な実施例において、前記複数のＳＲ構成情報が第３のＳＲ構成情報を含み、前記第３のＳＲ構成情報の優先度が他のＳＲ構成情報よりも高く、前記他のＳＲ構成情報が第４のＳＲ構成情報を含み、前記第４のＳＲ構成情報が第４のＳＲに対応し、前記処理モジュール４２０は、さらに、
前記第４のＳＲの伝送回数が前記第４のＳＲの最大伝送回数に達した場合、前記第４のＳＲ構成情報に対応するＰＵＣＣＨリソースを解放するように構成される。
【００９７】
任意選択で、ある可能な実施例において、前記通信モジュール４１０は、さらに、
前記第３のＳＲ構成情報に対応するＰＵＣＣＨリソースを利用して前記第４のＳＲを送信するように構成される。
【００９８】
任意選択で、ある可能な実施例において、前記複数のＳＲ構成情報が第３のＳＲ構成情報を含み、前記第３のＳＲ構成情報の優先度が他のＳＲ構成情報よりも高く、前記他のＳＲ構成情報が第４のＳＲ構成情報を含み、前記第３の構成情報が第３のＳＲに対応し、前記処理モジュール４２０は、さらに、
前記第３のＳＲの伝送回数が前記第３のＳＲの最大伝送回数に達した場合、前記各ＳＲ構成情報に対応するＰＵＣＣＨリソースを解放するように構成される。
【００９９】
任意選択で、ある可能な実施例において、前記処理モジュール４２０は、さらに、
前記ネットワークデバイスにより送信された下り割り当て情報と上りグラント情報をクリアし、
ランダムアクセスプロセスを開始し、送信する各ＳＲの送信を取り消すように構成される。
【０１００】
任意選択で、ある可能な実施例において、前記第３のＳＲ構成情報に対応するＰＵＣＣＨリソースの伝送信頼度は、前記第４のＳＲ構成情報に対応するＰＵＣＣＨリソースの伝送信頼度よりも高い。
【０１０１】
本発明の一実施例に係る端末デバイス４００は、本発明の一実施例に係る端末デバイスに対応することができ、端末デバイス４００の各部の上述した及びその他の動作及び/又は機能は、図２に示す方法２００における端末デバイスの対応するフローをそれぞれ実現するために、簡潔のために、ここでは繰り返し説明しない。
【０１０２】
図５は本願の他の実施例のおける端末デバイス５００のブロック図である。図５に示すように、当該端末デバイス５００は、通信モジュール５１０及び処理モジュール５２０を含む。
【０１０３】
通信モジュール５１０は、ネットワークデバイスの複数のスケジューリング要求ＳＲ構成情報を受信するように構成され、各ＳＲ構成情報がＳＲの最大伝送回数を含み、前記ＳＲの最大伝送回数は、全てのＳＲの累積最大伝送回数を示す。
【０１０４】
処理モジュール５２０は、前記複数のＳＲ構成情報に基づいて、前記複数のＳＲ構成情報に対応する物理上り制御チャネルＰＵＣＣＨリソースを処理するように構成される。
【０１０５】
任意選択で、ある可能な実施例において、前記処理モジュール５２０は、具体的に、
全てのＳＲの累積伝送回数が前記ＳＲの最大伝送回数に達した場合、前記各ＳＲ構成情報に対応するＰＵＣＣＨリソースを解放するように構成される。
【０１０６】
任意選択で、ある可能な実施例において、前記処理モジュール５２０は、さらに、
前記ネットワークデバイスにより送信された下り割り当て情報と上りグラント情報をクリアし、
ランダムアクセスプロセスを開始し、送信する各ＳＲの送信を取り消すように構成される。
【０１０７】
本発明の実施例による端末デバイス５００は、本発明の方法の実施例におけるネットワークデバイスに対応することができ、端末デバイス５００における様々なユニットの上記及び他の動作及び/又は機能は、それぞれ、図３に示す方法３００における端末デバイスの対応するフローを実施するために、簡潔のためにここでは繰り返して説明しないことが理解される。
【０１０８】
図６に示されるように、本願の実施例は、図２の方法２００に対応する端末デバイスのコンテンツを実行するために使用され得る、図４の端末デバイス４００である端末デバイス６００をさらに提供する。この装置６００は、入力インターフェース６１０、出力インターフェース６２０、プロセッサ６３０、及びメモリ６４０を備え、これらはバスシステムにより接続可能となっている。メモリ６４０は、プログラム、命令、またはコードを含む記憶媒体として使用される。プロセッサ６３０は、メモリ６４０内のプログラム、命令、又はコードを実行して、入力インターフェース６１０を制御して信号を受信し、出力インターフェース６２０を制御して信号を送信し、上述の方法の実施例の動作を完了する。
【０１０９】
本発明の実施例において、プロセッサ６３０は、中央処理装置( Ｃｅｎｔｒａｌ Ｐｒｏｃｅｓｓｉｎｇ Ｕｎｉｔ、単に「ＣＰＵ」と呼ばれる)であってもよく、他の汎用プロセッサ、デジタル信号プロセッサ( ＤＳＰ )、特定用途向け集積回路( ＡＳＩＣ )、既製プログラマブルゲートアレイ( ＦＰＧＡ )又は他のプログラマブル論理デバイス、個別ゲート又はトランジスタ論理デバイス、個別ハードウェア構成要素等であってもよいことが理解されるべきである。汎用プロセッサはマイクロプロセッサであってもよく、プロセッサは任意の従来のプロセッサなどであってもよい。
【０１１０】
メモリ６４０は、読み出し専用メモリおよびランダムアクセスメモリを含み得、プロセッサ６３０に命令およびデータを提供し得る。メモリ６４０の一部は、不揮発性ランダムアクセスメモリをさらに含み得る。例えば、メモリ６４０は、デバイスタイプの情報をさらに記憶してもよい。
【０１１１】
実施において、方法の各コンテンツは、プロセッサ６３０内のハードウェアの集積論理回路またはソフトウェア形態の命令によって達成され得る。本願の実施例に関連して開示される方法の内容は、ハードウェアプロセッサ実行として直接的に、またはプロセッサ内のハードウェアおよびソフトウェアモジュールの組み合わせで実行を完了するように具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリ６４０に位置し、プロセッサ６３０は、メモリ６４０内の情報を読み出し、そのハードウェアと組み合わせて、上述した方法の内容を実現する。重複を避けるため、ここでは詳細な説明は省略する。
【０１１２】
一つの具体的な実装では、図４の通信モジュール４１０は、図６の入力インターフェース６１０および出力インターフェース６２０で実装されてもよく、図４の処理モジュール４２０は、図６のプロセッサ６３０で実装されてもよい。
【０１１３】
図７に示すように、本願の実施例は、図３の方法３００に対応する端末デバイスのコンテンツを実行するために使用され得る、図５の端末デバイス５００である端末デバイス７００をさらに提供する。この端末デバイス７００は、入力インターフェース７１０、出力インターフェース７２０、プロセッサ７３０、及びメモリ７４０を備え、これらはバスシステムにより接続可能となっている。メモリ７４０は、プログラム、命令、又はコードを含むデータを記憶するために使用される。プロセッサ７３０は、入力インターフェース７１０を制御して信号を受信し、出力インターフェース７２０を制御して信号を送信し、前述の方法の実施例の動作を完了するために、メモリ７４０内のプログラム、命令、又はコードを実行する。
【０１１４】
本発明の実施例において、プロセッサ７３０は、中央処理装置( Ｃｅｎｔｒａｌ Ｐｒｏｃｅｓｓｉｎｇ Ｕｎｉｔ、略して「ＣＰＵ」)であってもよく、他の汎用プロセッサ、デジタル信号プロセッサ( ＤＳＰ )、特定用途向け集積回路( ＡＳＩＣ )、既製のプログラマブルゲートアレイ( ＦＰＧＡ )又は他のプログラマブル論理デバイス、個別ゲート又はトランジスタ論理デバイス、個別ハードウェア構成要素等であってもよいことが理解されるべきである。汎用プロセッサはマイクロプロセッサであってもよく、プロセッサは任意の従来のプロセッサなどであってもよい。
【０１１５】
メモリ７４０は、読み出し専用メモリおよびランダムアクセスメモリを含むことができ、プロセッサ７３０に命令およびデータを提供する。メモリ７４０の一部は、不揮発性ランダムアクセスメモリをさらに含み得る。例えば、メモリ７４０は、デバイスタイプの情報をさらに記憶することができる。
【０１１６】
実施において、方法の各コンテンツは、プロセッサ７３０におけるハードウェアの集積論理回路またはソフトウェア形態の命令によって実現されてもよい。本願の実施例に関連して開示される方法の内容は、ハードウェアプロセッサ実行として直接的に、またはプロセッサ内のハードウェアおよびソフトウェアモジュールの組み合わせで実行を完了するように具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリ７４０に位置し、プロセッサ７３０は、メモリ７４０の情報を読み取り、そのハードウェアとの関連で上述した方法の内容を実現する。重複を避けるため、ここでは詳細な説明は省略する。
【０１１７】
一つの具体的な実装では、図５の通信モジュール５１０は、図７の入力インターフェース７１０および出力インターフェース７２０で実装されてもよく、図５の処理モジュール５２０は、図７のプロセッサ７３０で実装されてもよい。
【０１１８】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０１１９】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１２０】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１２１】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、この実施例の目的は、必要に応じて各部の一部又は全部を選択して実施することができる。
【０１２２】
また、本発明の各実施例における各機能部は、１つの処理部に集積されてもよいし、各部は、物理的に別個に存在してもよいし、２つ以上の部が１つの部に集積されてもよい。
【０１２３】
また、ソフトウェア的な機能単位で実現され、独立した製品として販売又は使用される場合には、コンピュータ読み取り可能な記録媒体に格納されてもよい。このような理解に基づいて、本発明の技術的解決策の本質または従来技術に寄与する部分、または本発明の技術的解決策の部分は、１つのコンピュータデバイス(パーソナルコンピュータ、サーバ、またはネットワークデバイスなどであり得る)に本発明の様々な実施例に記載された方法のステップの全てまたは一部を実行させるための複数の命令を含む１つの記憶媒体に記憶されたソフトウェア製品の形態で具現化され得る。なお、前記記憶媒体としては、U-ディスク、リムーバブルハードディスク、リードオンリーメモリ( ＲＯＭ、Ｒｅａｄ−Ｏｎｌｙ Ｍｅｍｏｒｙ )、ランダムアクセスメモリ（ ＲＡＭ、Ｒａｎｄｏｍ Ａｃｃｅｓｓ Ｍｅｍｏｒｙ )、磁気ディスク、光ディスク等のプログラムコードを記憶できる種々の媒体を包含する。
【０１２４】
以上、本発明の具体的な実施例を説明したが、本発明の技術的範囲はこれに限定されるものではなく、本発明が属する技術分野で通常の知識を有する者であれば、本発明の技術的範囲内で容易に変更や置換をなし得ることは勿論である。したがって、本発明の保護範囲は、特許請求の範囲によって定義されるべきである。
【図１】
2020533823.tif 000003
【図２】
2020533823.tif 000004
【図３】
2020533823.tif 000005
【図４】
2020533823.tif 000006
【図５】
2020533823.tif 000007
【図６】
2020533823.tif 000008
【図７】
2020533823.tif 000009
【手続補正書】
【提出日】令和2年7月7日(2020.7.7)
【手続補正１】
【補正対象書類名】明細書
【補正対象項目名】０１２４
【補正方法】削除
【補正の内容】
【手続補正２】
【補正対象書類名】特許請求の範囲
【補正対象項目名】全文
【補正方法】変更
【補正の内容】
【特許請求の範囲】
【請求項１】
端末デバイスがネットワークデバイスの複数のスケジューリング要求ＳＲ構成情報を受信することと、
前記端末デバイスが前記複数のＳＲ構成情報に基づいて、前記複数のＳＲ構成情報に対応する物理上り制御チャネルＰＵＣＣＨリソースを処理することとを含み、
各ＳＲ構成情報は、対応するＳＲの最大伝送回数を含む
ことを特徴とする上り伝送方法。
【請求項２】
前記複数のＳＲ構成情報が第１のＳＲ構成情報を含み、前記第１のＳＲ構成情報が第１のＳＲに対応し、前記端末デバイスが前記複数のＳＲ構成情報に基づいて、前記複数のＳＲ構成情報に対応する物理上り制御チャネルＰＵＣＣＨリソースを処理することは、
前記第１のＳＲの伝送回数が前記第１のＳＲの最大伝送回数に達した場合、前記端末デバイスが前記第１のＳＲ構成情報に対応するＰＵＣＣＨリソースを解放することを含む
ことを特徴とする請求項１に記載の上り伝送方法。
【請求項３】
前記方法は、さらに、
前記端末デバイスがランダムアクセスプロセスを開始し、前記第１のＳＲ構成情報に対応するＰＵＣＣＨリソースを取得するように要求することを含む
ことを特徴とする請求項２に記載の上り伝送方法。
【請求項４】
前記複数のＳＲ構成情報が第２のＳＲ構成情報を含み、前記第２のＳＲ構成情報が第２のＳＲに対応し、前記端末デバイスが前記複数のＳＲ構成情報に基づいて、前記複数のＳＲ構成情報に対応する物理上り制御チャネルＰＵＣＣＨリソースを処理することは、
前記第２のＳＲの伝送回数が前記第２のＳＲの最大伝送回数に達した場合、前記端末デバイスが前記各ＳＲ構成情報に対応するＰＵＣＣＨリソースを解放することを含む
ことを特徴とする請求項１に記載の上り伝送方法。
【請求項５】
前記方法は、さらに、
前記端末デバイスが前記ネットワークデバイスから送信された下り割り当て情報と上りグラント情報をクリアし、送信する各ＳＲの送信を取り消すことと、
前記端末デバイスがランダムアクセスプロセスを開始し、前記各ＳＲ構成情報を再構成することとを含む
ことを特徴とする請求項４に記載の上り伝送方法。
【請求項６】
前記複数のＳＲ構成情報が第３のＳＲ構成情報を含み、前記第３のＳＲ構成情報の優先度が他のＳＲ構成情報よりも高く、前記他のＳＲ構成情報が第４のＳＲ構成情報を含み、前記第４のＳＲ構成情報が第４のＳＲに対応し、前記端末デバイスが前記複数のＳＲ構成情報に基づいて、前記複数のＳＲ構成情報に対応する物理上り制御チャネルＰＵＣＣＨリソースを処理することは、
前記第４のＳＲの伝送回数が前記第４のＳＲの最大伝送回数に達した場合、前記端末デバイスが前記第４のＳＲ構成情報に対応するＰＵＣＣＨリソースを解放することを含む
ことを特徴とする請求項１に記載の上り伝送方法。
【請求項７】
前記方法は、さらに、
前記端末デバイスが前記第３のＳＲ構成情報に対応するＰＵＣＣＨリソースを利用して前記第４のＳＲを送信することを含む
ことを特徴とする請求項６に記載の上り伝送方法。
【請求項８】
前記複数のＳＲ構成情報が第３のＳＲ構成情報を含み、前記第３のＳＲ構成情報の優先度が他のＳＲ構成情報よりも高く、前記他のＳＲ構成情報が第４のＳＲ構成情報を含み、前記第３の構成情報が第３のＳＲに対応し、前記端末デバイスが前記複数のＳＲ構成情報に基づいて、前記複数のＳＲ構成情報に対応する物理上り制御チャネルＰＵＣＣＨリソースを処理することは、
前記第３のＳＲの伝送回数が前記第３のＳＲの最大伝送回数に達した場合、前記端末デバイスが前記各ＳＲ構成情報に対応するＰＵＣＣＨリソースを解放することを含む
ことを特徴とする請求項１、６、７のいずれか１項に記載の上り伝送方法。
【請求項９】
前記方法は、さらに、
前記端末デバイスが前記ネットワークデバイスにより送信された下り割り当て情報と上りグラント情報をクリアすることと、
前記端末デバイスがランダムアクセスプロセスを開始し、送信する各ＳＲの送信を取り消すこととを含む
ことを特徴とする請求項８に記載の上り伝送方法。
【請求項１０】
前記第３のＳＲ構成情報に対応するＰＵＣＣＨリソースの伝送信頼度は、前記第４のＳＲ構成情報に対応するＰＵＣＣＨリソースの伝送信頼度よりも高い
ことを特徴とする請求項６〜９のいずれか１項に記載の上り伝送方法。
【請求項１１】
端末デバイスがネットワークデバイスの複数のスケジューリング要求ＳＲ構成情報を受信することと、
前記端末デバイスが前記複数のＳＲ構成情報に基づいて、前記複数のＳＲ構成情報に対応する物理上り制御チャネルＰＵＣＣＨリソースを処理することとを含み、
各ＳＲ構成情報がＳＲの最大伝送回数を含み、前記ＳＲの最大伝送回数は、全てのＳＲの累積最大伝送回数を示す
ことを特徴とする上り伝送方法。
【請求項１２】
前記端末デバイスが前記複数のＳＲ構成情報に基づいて、前記複数のＳＲ構成情報に対応する物理上り制御チャネルＰＵＣＣＨリソースを処理することは、
全てのＳＲの累積伝送回数が前記ＳＲの最大伝送回数に達した場合、前記端末デバイスが前記各ＳＲ構成情報に対応するＰＵＣＣＨリソースを解放することを含む
ことを特徴とする請求項１１に記載の上り伝送方法。
【請求項１３】
前記方法は、さらに、
前記端末デバイスが前記ネットワークデバイスにより送信された下り割り当て情報と上りグラント情報をクリアすることと、
前記端末デバイスがランダムアクセスプロセスを開始し、送信する各ＳＲの送信を取り消すこととを含む
ことを特徴とする請求項１２に記載の上り伝送方法。
【請求項１４】
メモリと、プロセッサと、入力インターフェースと、出力インターフェースとを含む端末デバイスであって、
メモリ、プロセッサ、入力インターフェース、および出力インターフェースはバスシステムによって接続され、
メモリは命令を格納するように構成され、
プロセッサは、メモリに格納された命令を実行して、請求項１から１０のいずれか１項に記載の上り伝送方法を実行するように構成される
ことを特徴とする端末デバイス。
【請求項１５】
メモリと、プロセッサと、入力インターフェースと、出力インターフェースとを含む端末デバイスであって、
メモリ、プロセッサ、入力インターフェース、および出力インターフェースはバスシステムによって接続され、
メモリは命令を格納するように構成され、
プロセッサは、メモリに格納された命令を実行して、請求項１１から１３のいずれか１項に記載の上り伝送方法を実行するように構成される
ことを特徴とする端末デバイス。
【国際調査報告】
2020533823.tif 000010
2020533823.tif 000011
2020533823.tif 000012
2020533823.tif 000013